(57)【要約】【課題】  簡単な構造で産業廃棄物を風力を用いて効率よく分別できる産業廃棄物の分別回収装置を提供する。【解決手段】  基台１０の上にスプリング１２を介して振動可能に取り付けたフィーダ１３と、前記フィーダ１３の内部に前方に傾斜して取り付けられ先端に第２篩１７を固定した第１篩１６と、前記フィーダ１３の前方に設けた重量物室２１と軽量物室２４からなる選別室２０と、前記選別室２０の上部に取り付けた上部送風路３１と、前記上部送風路３１と送風機３０を介して連結した下部送風路３２とからなる。【選択図】図１
2009240856.tif 000002
【特許請求の範囲】
【請求項１】
基台の上にスプリングを介して振動可能に取り付けたフィーダと、前記フィーダの内部に前方に傾斜して取り付けた第１篩と、前記第１篩の先端に固定した第２篩と、前記フィーダの前方に設けた重量物室と軽量物室からなる選別室と、前記選別室の上部に取り付けた上部送風路と、前記上部送風路と送風機を介して連結した下部送風路とからなり、
前記下部送風路先端のエア吐出口を第２篩の下方に配置し、このエア吐出口からエアを斜め上方に向かって送風して産業廃棄物を風力によって分別すると共に、エアを送風路と選別室を循環させてなる産業廃棄物の分別回収装置。
【発明の詳細な説明】
【技術分野】
【０００１】
本発明は、風力によって産業廃棄物を自動的に分別して回収できる装置に関するものである。
【背景技術】
【０００２】
従来より重量物と軽量物が混在する産業廃棄物を風力によって分別して回収する装置があった。特許文献１に示すものは重量物と軽量物の混合物を振動させ、混合物を定量的に排出口から排出するフィーダと、フィーダの排出口から排出される混合物にエアを吹き当てるエアナイフ装置と、フィーダの下流側に配置され、混合物を重量物と軽量物とに分離する分離部材とを備えた風力選別機である。
【０００３】
この風力選別機によれば、フィーダの一側に供給された重量物と軽量物との混合物は、フィーダの振動によりフィーダの搬送面上に均一に分布されながら一側から他側へと移動し、フィーダの他側端部に設けられた排出口から徐々に排出される。排出される混合物は、巾広ノズルからのエアの影響を受けて、重量物は分離板の手前に落ちる一方、軽量物は分離板を超えるので、混合物は重量物と軽量物とに分離されるのである。
【特許文献１】特開平２００２−１２２１
【０００４】
ところで、前記特許文献１記載の風力選別機では、フィーダＡの他側端部の排出口Ｂから混合物が排出されるときに、図４に示すように混合物Ｃは排出口Ｂから直ちに落下するため、混合物Ｃに大きな落下速度が加わり巾広ノズルＤからのエアの影響力を充分に受けることができなかった。そのため混合物を重量物と軽量物に分離することが困難または不充分であった。さらに重量物と軽量物に付着している微粉末はエアによって粉塵となり外部に飛散していた。
【発明の開示】
【発明が解決しようとする課題】
【０００５】
本発明は前記の点に鑑みなされたものであり、簡易な構成で産業廃棄物を風力を用いて効率よく分別できる産業廃棄物の分別回収装置を提供するものである。
【課題を解決するための手段】
【０００６】
本発明の要旨とするところは、基台の上にスプリングを介して振動可能に取り付けたフィーダと、前記フィーダの内部に前方に傾斜して取り付けた第１篩と、前記第１篩の先端に固定した第２篩と、前記フィーダの前方に設けた重量物室と軽量物室からなる選別室と、前記選別室の上部に取り付けた上部送風路と、前記上部送風路と送風機を介して連結した下部送風路とからなり、前記下部送風路先端のエア吐出口を第２篩の下方に配置し、このエア吐出口からエアを斜め上方に向かって送風して産業廃棄物を風力によって分別すると共に、エアを送風路と選別室を循環させてなる産業廃棄物の分別回収装置である。
【発明の効果】
【０００７】
本発明は前記の如き構成であるため、第２篩上の産業廃棄物を下方から風力を加えて分別するため、効率よく分別されるとともに、分別された産業廃棄物は重量物と軽量物に正確に選別され選別室に送られる。
また、エアは送風路と選別室の間を循環する循環システムを構成しているため、選別室下部が開放されているがエアは外部に排出されず、産業廃棄物及びそれから生じる微粉末も外部に漏れないため、周囲の環境を損なうことがない。
【発明を実施するための最良の形態】
【０００８】
本発明を実施するための最良の形態は、基台の上に４個のスプリングを介して振動可能に取り付けたフィーダを構成し、前記フィーダの内部に、前方に傾斜して取り付け、かつ先端に第２篩を固定した第１篩を取り付ける。前記フィーダの前方に産業廃棄物を分別収納する選別室を設け、この選別室を重量物室と軽量物室に仕切り、前記選別室の上部に上部送風路を取り付け、前記上部送風路は送風機を介して下部送風路に連結し、前記下部送風路先端のエア吐出口を第２篩の下方に配置した産業廃棄物の分別回収装置である。
【０００９】
以下、本発明の第１実施形態を図に基づいて説明する。
図１は第１実施形態の正面図、図２は同一部省略平面図、図３は同作用を示す模式図である。
【００１０】
産業廃棄物の分別回収装置１の基台１０上に４個のスプリング１２を固定し、このスプリング１２の上端にフィーダ１３を取り付ける。
前記フィーダ１３は上端に産業廃棄物の投入口１４を構成しており、両側にフィーダ１３を振動させるためのバイブレーター１５を備えている。またフィーダ１３の内部には、第１篩１６を分別回収装置１の前方（図１中左側）下方に向かって傾斜させて設置している。
【００１１】
前記第１篩１６の前端でフィーダ１３の外部に、第２篩１７が取り付けられている。この第２篩１７は、前方下方に向かって傾斜していて、その先端は後述の下部送風路３２先端のエア吐出口３３より前方に張り出している。
【００１２】
前記フィーダ１３の前方には選別室２０を設ける。選別室２０は、仕切り２２によって前方の重量物室２１と後方の軽量物室２４に分けられている。
【００１３】
前記重量物室２１は分別された産業廃棄物のうち重量物を収容するところであり、上端には調整部２３を設けている。
この調整部２３は基板２２ａに対してスライド板２３ｃをピン２３ｂで上下動可能に固定している。このスライド板２３ｃを上下動させることで、軽量物室２４への産業廃棄物の投入量を調整するのである。
【００１４】
前記軽量物室２４は軽量の産業廃棄物を収納するところであり、上部にはフィルター２５を設けている。このフィルター２５は軽量の産業廃棄物が外部に排出されることを防ぐものであり、メッシュの小さなものを用いている。
そして、軽量物室２４の上端に上部送風路３１の開口端部を連結する。この上部送風路３１の他端は分別回収装置１下方に設置した送風機３０と連結している。さらにこの送風機３０は下部送風路３２と連結していて、この下部送風路３２の先端は、細くノズル状に構成してエア吐出口３３を形成している。
【００１５】
図１に示すように前記エア吐出口３３は、第２篩１７の下部後方より斜め上方に向けられていて、エアの流路Ｆ１が第２篩１７に立設した垂直線Ｌに対して角度αだけ後方に位置するように設定してある。
本実施形態ではα＝３０度であるがこれに限定されず、風量との関係などから適宜選択できる。
【００１６】
上記の構成からエアは送風機３０から下部送風路３２、選別室２０、上部送風路３１と送られていき分別回収装置１内を循環するのである。
図中４３、４４、４５は夫々重量物室２１、軽量物室２４、フィーダ１３の下方に配置され、分別されて落下した大きさの異なる産業廃棄物を貯留するパットである。
【００１７】
次に、本実施形態の作用について説明する。
前記フィーダ１３の上端の投入口１４より産業廃棄物（図示せず）を投入し、バイブレーター１５を作動させてフィーダ１３を振動させる。
これによりフィーダ１３内部の第１篩１６も振動し、産業廃棄物は分別回収装置１の前方下方に向かって流れていく。
本実施形態では第１篩１６のメッシュは１０ｍｍとしたため、１０ｍｍより小さな産業廃棄物は第１篩１６を通ってパレット４５に落下するのである。これら１０ｍｍより小さい産業廃棄物は土砂として資源活用できる。なお、第１篩１６のメッシュは１０ｍｍに限定されず任意に設定できる。
【００１８】
次いで産業廃棄物は、第１篩１６の前端に設けた第２篩１７まで運ばれる。この第２篩１７は、下部送風路３２先端のエア吐出口３３より前方に張り出しているため、この上の産業廃棄物はエア吐出口３３から吹き出されるエアによって細かく粉砕され斜め前方に吹き飛ばされるのであり、エアナイフの効果が発揮されるのである。
このメッシュも任意に決定できるが、本実施形態では第１篩１６と同様の１０ｍｍとした。
【００１９】
エアによって吹き飛ばされた産業廃棄物は、選別室２０へと運ばれる。
このとき、産業廃棄物のうち重量物は遠方まで飛散しないため重量物室２１を通過して下方のパレット４３に落下する。また軽量物は比較的遠方まで飛ばされて軽量物室２４の下方のパレット４４へ落下する。
また重量物室２１上端の調整部２３のスライド板２３ｃを上下動させることで、軽量物室２４への産業廃棄物の投入量を調整できる。
このようにして、エアの働きによって産業廃棄物が効率よくかつ重量物と軽量物に正確に分別されていくのである。
【００２０】
一方、エア吐出口３３から吹き出したエアは、流路Ｆ２、Ｆ３に示すように選別室２０の上方を通過していく。そして軽量物室２４に流れ込んだエアは上部のフィルター２５を通過して、流路Ｆ４に沿って上部送風路３１に吸い込まれていく。このときフィルター２５のメッシュは５ｍｍに設定してあるため５ｍｍより大きい物は落下するが、５ｍｍより小さいものでも、砂や小石等のように重量のあるものも落下していく。
このため産業廃棄物はフィルターされて、ほとんどの産業廃棄物は軽量物室２４に落下し完全に分別回収できるのである。その結果上部送風路３１には微粉末５０しか入らないのである。
【００２１】
また軽量物室２４に吹き込んだエアは、室内を循環して流路Ｆ５となって上昇する。このとき軽量物室２４の下部は密閉状態でなくパレット４４の間には間隙があるが、この間隙からエアは外部に漏れるおそれはない。すなわち、エアは送風機３０で強制循環されているから軽量物室２４の空気圧は外気圧より低くなり、エア及び微粉末等は上部送風路３１に吸い込まれていくため定期軽量物室２４の下部から外部に漏れないのである。これは重量物室２１とパレット４３においても同様であるため説明を省略する。
【図面の簡単な説明】
【００２２】
【図１】本発明の第１実施形態の正面図
【図２】本発明の第１実施形態の一部省略平面図
【図３】本発明の第１実施形態の作用を示す模式図
【図４】従来例の説明図
【符号の説明】
【００２３】
１  産業廃棄物の分別回収装置
１０  基台
１２  スプリング
１３  フィーダ
１４  産業廃棄物の投入口
１５  バイブレーター
１６  第１篩
１７  第２篩
２０  選別室
２１  重量物室
２４  軽量物室
２５  フィルター
３０  送風機
３１  上部送風路
３２  下部送風路
３３  エア吐出口
【図１】
2009240856.tif 000003
【図２】
2009240856.tif 000004
【図３】
2009240856.tif 000005
【図４】
2009240856.tif 000006